(57)【要約】      （修正有）【課題】ユニット電池等の電気機器を収納し、屋外に設置する箱体において、軽量で、加工性、可搬性、取扱性に富み、防水性、通気性、耐震性、強靱性にも優れた機能を持つ箱体を容易に現場組立てできる成形パネルの低価格での提供。【解決手段】箱体２を構成する８枚の成形パネルＰ（天板、底板、背面板２枚、側面板２枚、前面扉２枚）を製作するため、基板となる直方形の高耐食性メッキ鋼板の周辺部９０を内方にＬ形に折り曲げて外縁部にフレーム８０を一体成形する。その成形パネルＰ間を通しボルトによって連結、固定するため、ボルト孔０１が穿設された係止アングル８を成形パネルＰの周辺部９０の裏側に溶着するとともに底板６と側板４および天板３との連結、補強のため側板４の上下コ−ナ−部にコ−ナ−金具９をボルト止めする。【選択図】図１
0003128531.tif 000002
【実用新案登録請求の範囲】
【請求項１】
８枚の成形パネル（天板、底板、背面板２枚、側面板２枚、前面扉２枚）とベ−スよりなる箱体の部材製造工程と、その成形パネルの組立て手法であって、成形パネル間を通しボルトによって螺着、連結するため基板となる長方形の高耐食性メッキ鋼板の
0003128531.tif 000008
（ロ）扉を除くパネルの周縁部の裏面にフレ−ムに沿ってパネル間を連結、固定する係止アングルを溶着する。
（ハ）両側面板の前面の上下周縁部のコ−ナ−に底板と天板との連結、補強用のコ−ナ−金具をボルト止めする。
（ニ）両側面板と前面扉とを係合、装着するための蝶番を側面板の外縁部（縦フレ−ム）に装着する。
（ホ）前面扉の下部に換気口を設けるとともに開閉用の把手を装着する。
（ヘ）天板の四隅（フレ−ム上）の上面に吊上げフックを装着する。
（ト）両側面板の上部に排気口または入線口を装着するための開口部を設けるとともに入線口を装着する側板の下部にケ−ブルホルダ−を２〜３箇所装着する。
（チ）パネル間の接合面にゴムテ−プを挟着してコ−キングする。
ことによって成形したパネルを現場において組立て、電気機器などを収納する直方体の箱体を構成することを特徴とする蓄電池等の収納箱。
【考案の詳細な説明】
【技術分野】
【０００１】  本考案は、蓄電池等の電気機器を屋外に設置する場合の収納箱に関し、詳しくは、防塵、防水性のほか通気性に富んだ箱体を構成する部材の形状、組合せに係わるもの。
【背景技術】
【０００２】  従来、蓄電池等の電気機器を収納する箱体（以下、筐体、キャビネットともいう）につては、様々な構造のものが提案されている。【０００３】  例えば、図４（ａ）（ｂ）のように、４枚の壁面板（天板、側板、背板）と底床とを溶接した筐体に２枚の扉を装着し、内側に防水壁とトレ−を装着してバッテリ−室を構成した「屋外設置筐体の防水装置」が公示されている（文献１）。しかし、この筐体は、壁面板やトレ−などを構設した収納箱で、躯体が重いので可搬性と作業性に問題があった。【０００４】  また、図５（ａ）（ｂ）のように、収納箱の枠組（支柱と梁よりなる支持枠）に角形の薄鋼管を使用し、４本の支柱と４本の梁とをブラケットおよび４本の受けアングルによって結合し、蓄電池を収納する立体格子形の架台を構成した「蓄電池用架台および収納箱」が公示されている。（文献２）しかし、この収納箱は、これを設置する現場に枠組用部材を搬入した後、架台を組立て、その架台に前面扉、側面板および天井板をボルト、ナットにより結合して箱体を構成するため、現場での組立て作業に時間と手間がかかった。【０００５】  さらに、図６のように、複数のユニット電池を収納するケ−ス（図７参照）の前面に扉取付用の枠を、背面にカバ−取付用の枠を固定して取り付け、この枠に前面扉と側面カバ−と背面カバ−を囲撓的に取付けた後、天井カバ−を載置して収納箱を構成した「蓄電池収納箱」が公示されている（文献３）。しかし、この収納箱も、成形部材を設置現場に搬入した後、ベ−ス上に設置したユニットケ−スに扉とカバ−を取付ける枠体を取付け、その枠体に換気口のみ具設した側面カバ−、背面カバ−および扉を取付けて天井カバ−を上から被着するなど多くの成形部材の現場での組立て作業に時間と手間がかかった。
【特許文献１】特開平９−１８１４６０号公報
【特許文献２】特開２００１−３０７６９７号公報
【特許文献３】特開２００３−５１２９９号公報
【考案の開示】
【考案が解決しようとする課題】
【０００６】  前記したように、従来の収納箱においては、箱体を構成する手法が、一般的に、枠体となるフレ−ム（支柱、梁）を組立てた後、その枠体にパネル（基板）を囲繞、装着することによって収納キャビネットを構成しているため、多種、多様な構成部材の現場搬入や現場組立て作業も容易ではなく、多くの時間と手間がかかる点に問題があった。
この考案は、このような問題点を検討し、改善すことによって、より一層の合理化（構成部材の簡素化、軽量化による作業能率の向上）を図ることを目的とするものである。
【課題を解決するための手段】
【０００７】  前記の課題を解決するための手段として、本考案の収納箱においては、箱体を構成するための基板となる長方形の薄鋼板の周辺部（縁部）を折曲げ加工し、成形するパネルに枠体の支柱や梁の役目を果たすフレ−ムを一体成形することとした。【０００８】  また、扉板を除く成形パネルと成形パネルとの係合、連結を容易にするため、係止アングルを成形パネルの裏面（内側）に添設（溶接）固定した。【０００９】  さらに、両側板の前面の上下コ−ナ−および底板と天板の前面のコ−ナ−に成形パネル間の連結を堅固にするため、コ−ナ−金具を装着（溶接）した。【００１０】  また、現場組立作業を容易にするため各部材間の連結、締着は、通しボルトによるものとし、パネルのフレ−ム部や係止アングルやコ−ナ−金具にボルト挿通孔を穿孔した。
【考案の効果】
【００１１】  本考案の収納箱によれば、
（１）キャビネットを構成する部材を分割状態で現場に搬入できるので能率化する。
（２）支柱や梁などにより構成する支持架台を現場で枠組みしないので効率化する。
（３）パネルとフレ−ムとを一体成形した部材を面組みする箱体なので靱性化する。
（４）パネル間を通しボルトによって連結するので現場での組立作業が簡略化する。
（５）パネルに係合アングルとコ−ナ−金具を装着してるので面組みが容易である。
（６）組立、設置を短時間に行うことができるので作業能率が向上し、省力化する。
（７）曲げ加工によりパネルとフレ−ムを一体成形するので製品コストが低減する。
（８）部材に高耐食性メッキ鋼板製を使用し、全面塗装するとともに部材間の接合部をコ−キングするので耐候性、防水性に優れているなど多くの効果を奏する。
【考案を実施するための最良の形態】
【００１２】
0003128531.tif 000003
形に折曲げてフレ−ムを一体成形した８枚（天板、側面板、底板、扉板、扉）の成形パネルを現場に搬入し、収納箱を載置するベ−スを地盤に設置した後、その上に各パネルを適切に結合、締着してキャビネットを構成、設置する。よって、従来の箱体構成手法のように、支柱や梁などよりなる支持枠体にパネルを取付けるといった作業工程が省略される。
以下、その実施形態（箱体の構成、組立）を図面に基づいて説明する。
【実施例】
【００１３】  図１は、蓄電池収納箱１の組立て展開図で、長方形の薄型鋼板８枚（扉２枚、天板、底
0003128531.tif 000004
を一体成形した各パネルＰの形状と配置状況を示すもので、扉７を除くパネルＰには、パネル間の連結を容易にする係止アングル８を装着のほか両側板４の前面の上下コ−ナ−のフレ−ム８０部に底板６と天板３との連結を堅固にするコ−ナ−金具９が装着されている。【００１４】  図２は、蓄電池収納箱１の外観図で、正面の２枚の扉７の下部に換気口３０が設けられ、左右の扉７Ｒには、両側パネル４に取付けた蝶番６０（図示せず）によって両開きできるよう把手７０が設けられている。また、左側板４Ｌの上部に排気口１０が設けられ、側板４Ｒの上部に入線口２０が、また、その下部に３本のケ−ブルホルダ−４０を設けるとともに天板３のコ−ナ−部に４本の吊上げフック５０を設けている。なお、排気口３０や入線口２０やケ−ブルホルダ−４０は、左右どちらの側板４でも取付けることができる。【００１５】  図３は、収納箱１の側板４の形状を示す正面図と側面面で、直方形の薄鋼板のパネルＰ
0003128531.tif 000005
てパネル間を連結する係止アングル８をパネルＰの内面に溶着するとともに下部に換気口３０を設けている。
また、収納箱１に収納する蓄電池Ｂは、一般的に使用されているユニット電池Ｂを収納する枠状のケ−ス（図７に示す斜視図）のように、複数のユニット電池Ｂを４段〜６段積
0003128531.tif 000006
載置しており、この架台０２を底板６あるいはベイス（載置台）０３上に設置し、蓄電池Ｂを収納箱１に収納している。
【産業上の利用可能性】
【００１６】  本考案の収容箱が、防水性、防塵性、通気性、耐震性の機能を有しているので、これを屋外に設置する通信関係の機器（ケ−ブル接続端子盤等）を収納するキャビネット（キュ−ピクル）として役立つものである。
【図面の簡単な説明】
【００１７】
【図１】本考案の蓄電池収納箱の組立て展開図。
【図２】本考案の蓄電池収納箱の外観図。
【図３】本考案の蓄電池収納箱の側板の形状図。
【図４】従来の防水構造を備えた屋外設置筐体の実施形態図。（文献１）（ａ）筐体の外観を示す斜視図。（ｂ）筐体の要部を示す断面図。
【図５】従来の蓄電池用架台および収納箱の実施形態図。（文献２）（ａ）収納箱の外観を示す斜視図。（ｂ）収納箱の架台の組立てを示す斜視図。
【図６】従来の蓄電池収容箱の実施形態を示す斜視図。（文献３）
【図７】従来のユニット電池（複数）を収納する枠状ケ−スを示す斜視図。
【符号の説明】
【００１８】１    収納箱
２    箱体（キャビネット、筐体）
０２  架台（支持枠体）
３    天板
０３  ベ−ス（載置台）
４    側板
０４  開口部
４Ｌ  左側板
４Ｒ  右側板
５    背板
６    底板
７    扉
７Ｌ  左扉
７Ｒ  右扉
0003128531.tif 000007
９    コ−ナ−金具（補強用）
９０  周縁部（周辺部）
０１  挿通孔（ボルト用）
１０  排気口
２０  入線口
３０  換気口
４０  ホルダ−（ケ−ブル用）
５０  吊上げフック
６０  蝶番
７０  把手
Ｐ    パネル（成形）
Ｂ    ユニット電池（蓄電池）
【図１】
0003128531.tif 000009
【図２】
0003128531.tif 000010
【図３】
0003128531.tif 000011
【図４】
0003128531.tif 000012
【図５】
0003128531.tif 000013
【図６】
0003128531.tif 000014
【図７】
0003128531.tif 000015